(57)【要約】【課題】寒冷な場所においても蓋体が脱落するのを防止することができ、かつ、構造的にも簡素化することができる蓋体の軸支構造の提供。【解決手段】蓋体１１の一側縁部１２の両側に各別に設けられた軸支部１３と、ケーシング本体２１の対応部位に各別に設けられた軸受け部２２と、頭部３２を有し、該頭部３２から直進して中間に位置する支軸部３３と、該支軸部３３の端面３４側から突設された雄ネジ部３５とを有する螺杆材３１とで構成され、軸支部１３は、螺杆材３１の頭部３２の掛止と支軸部３３側の遊挿とが自在な通孔１５を有し、軸受け部２２は、軸支部１３に螺杆材３１の頭部３２が掛止された際に雄ネジ部３５との螺合を自在とした雌ネジ部３３を備え、各軸支部１３を各別に遊挿させた螺杆材３１のそれぞれを雌ネジ部３５に各別に螺着して、ケーシング本体２１に対し蓋体１１を開閉自在に軸支させた。【選択図】図１
2006160309.tif 000002
【特許請求の範囲】
【請求項１】
蓋体の一側縁部の両側に各別に設けられた軸支部と、ケーシング本体の対応部位に各別に設けられた軸受け部と、頭部を有し、該頭部から直進して中間に位置する支軸部と、該支軸部の端面側から突設された雄ネジ部とを有する螺杆材とで構成され、
前記軸支部は、螺杆材の前記頭部の掛止と前記支軸部側の遊挿とが自在な通孔を有し、前記軸受け部は、前記軸支部に螺杆材の前記頭部が掛止された際に前記雄ネジ部との螺合を自在とした雌ネジ部を備え、各軸支部を各別に遊挿させた螺杆材のそれぞれを前記雌ネジ部に各別に螺着して、前記ケーシング本体に対し蓋体を開閉自在に軸支させたことを特徴とする蓋体の軸支構造。
【請求項２】
前記螺杆材は、前記支軸部より小径となってその端面側から突設された前記雄ネジ部を有し、前記軸受け部に前記端面を当接させた状態のもとで前記雄ネジ部を雌ネジ部に螺着させた請求項１に記載の蓋体の軸支構造。
【発明の詳細な説明】
【技術分野】
【０００１】
本発明は、ケーシング本体側に対し蓋体を開閉自在に軸支するのに好適な蓋体の軸支構造に関する技術である。
【背景技術】
【０００２】
通常、ケーシング本体の開口部を覆う蓋体は、回転可能に軸支される支軸を介して開閉自在に取り付けられている。このような軸支構造には、ケーシング本体側に支軸として用いる突起を設けておき、蓋体側の対応部位に設けた軸受け穴  に突起  を嵌合させることで軸支させるようにしたものがある（例えば特許文献１の図１参照）。
【特許文献１】特開平１１−１６８５３５号公報
【０００３】
また、他の軸支構造としては、蓋体側の一側縁部側に支軸杆が配設されており、ケーシング本体の対応部位に設けられた円筒部内に支軸杆側を回転自在に挿通させることで軸支させるようにしたものなどがある（例えば特許文献２の図１参照）。
【特許文献２】特開平８−６２６８９号公報
【発明の開示】
【発明が解決しようとする課題】
【０００４】
しかし、特許文献１に示されている軸支構造にあっては、蓋体とケーシング本体とが異種部材を用いて形成されている場合、温度収縮の違いなどから、例えば寒冷な場所などでは、蓋体がケーシング本体側から外れて脱落してしまう不都合があった。
【０００５】
また、特許文献２に示されている軸支構造にあっては、比較的長寸な支軸杆を用いる必要があるので、それだけコスト上昇を招いてしまうほか、支軸杆の抜脱を防止するための固定構造も別途に必要になるなどの不具合があった。
【０００６】
本発明は、従来技術にみられた上記課題に鑑み、寒冷な場所においても蓋体が脱落するのを防止することができ、かつ、構造的にも簡素化することができる蓋体の軸支構造を提供することを目的とする。
【課題を解決するための手段】
【０００７】
本発明は、上記目的を達成すべくなされたものであり、蓋体の一側縁部の両側に各別に設けられた軸支部と、ケーシング本体の対応部位に各別に設けられた軸受け部と、頭部を有し、該頭部から直進して中間に位置する支軸部と、該支軸部の端面側から突設された雄ネジ部とを有する螺杆材とで構成され、前記軸支部は、螺杆材の前記頭部の掛止と前記支軸部側の遊挿とが自在な通孔を有し、前記軸受け部は、前記軸支部に螺杆材の前記頭部が掛止された際に前記雄ネジ部との螺合を自在とした雌ネジ部を備え、各軸支部を各別に遊挿させた螺杆材のそれぞれを前記雌ネジ部に各別に螺着して、前記ケーシング本体に対し蓋体を開閉自在に軸支させたことを最も主要な特徴とする。
【０００８】
この場合、前記螺杆材は、前記支軸部より小径となってその端面側から突設された前記雄ネジ部を有し、前記軸受け部に前記端面を当接させた状態のもとで前記雄ネジ部を雌ネジ部に螺着させるのが望ましい。
【発明の効果】
【０００９】
本発明のうち、請求項１に係る発明によれば、短寸な螺杆材を用いて蓋体をケーシング本体側に確実に軸支させることができるので、部材コストを低く抑えることができるほか、ケーシング本体と蓋体とを異種部材で形成し、これを寒冷な場所などにおいて用いることがあっても蓋体の脱落を防止することができる。
【００１０】
また、請求項２に係る発明によれば、螺杆材において雄ネジ部よりも大径な支軸部の端面を軸受け部側に当接させた状態のもとで、雌ネジ部に対し雄ネジ部をゆるみが生じないように緊締螺着させることで、ケーシング本体に対し蓋体を確実に軸支させることができる。
【発明を実施するための最良の形態】
【００１１】
図１は、本発明の一例についての要部構造を分解して示す説明図であり、図２は、これを組み立てた後の状態を断面構造のもとで示す説明図である。
【００１２】
これらの図によれば、その全体は、適宜の合成樹脂材などからなる蓋体１１と、金属材などからなるケーシング本体２１と螺杆材３１とで構成されている。この場合、蓋体１１は、その一側縁部１２における両側（図示例では、一側のみを示す。）に各別に設けられた軸支部１３を備えている。また、ケーシング本体２１は、軸支部１３の位置との対応関係にある部位に各別に設けられた軸受け部２２を備えている。さらに、螺杆材３１は、頭部３２を有し、該頭部３２から直進して中間に位置する支軸部３３と、該支軸部３３より小径となってその端面３４側から突設された雄ネジ部３５とを備えて形成されている。
【００１３】
蓋体１１が一側縁部１２に備える該軸支部１３は、螺杆材３１の頭部３２の掛止が自在な受け穴部１４と、該受け穴部１４に連通させて雄ネジ部３５を含む支軸部３３側の遊挿を自在に穿設された通孔１５とを有して形成されている。
【００１４】
ケーシング本体３１が備える軸受け部２２は、軸支部１３の受け穴部１４を介して螺杆材３１の頭部３２が掛止された際に、螺杆材３１が備える雄ネジ部３５との螺合を自在とした雌ネジ部３３を備えて形成されている。
【００１５】
次に、本発明の作用・効果を図示例に基づいて説明すれば、まず、螺杆材３１を図１に示すようにその雄ネジ部３５側から蓋体１１が備える軸支部１３の受け穴部１４内へと挿入する。
【００１６】
このとき、螺杆材３１は、その支軸部３３と雄ネジ３５とを遊挿するようにして通孔１５を挿通させ、雄ネジ３５をケーシング本体２１が備える軸受け部２２へと到達させることができる。
【００１７】
しかも、ケーシング本体２１が備える軸受け部２２には、雌ネジ部３３が形成されているので、螺杆材３１の雄ネジ部３５と螺合させることができるようになっている。
【００１８】
また、螺杆材３１自体は、軸支部１３の受け穴部１４内に螺杆材３１の頭部３２が掛止された際に雄ネジ部３５がケーシング本体２１の軸受け部２２の雌ネジ部３５と螺合する長さが付与されているので、軸受け部２２の雌ネジ部３５に対し螺杆材３１の雄ネジ部３５を確実に螺着することができる。
【００１９】
しかも、このとき、螺杆材３１の雄ネジ部３５は、支軸部３３より小径となってその端面３４側から突設されているので、図２に示されているように軸受け部２２に端面３４を当接させた状態のもとで雌ネジ部３３に対し螺着させることができる。
【００２０】
したっがって、螺杆材３１は、その端面３４が軸受け部２２と圧接するに至るまで緊締することで、雌ネジ部３３側とより確実に螺合させることができることになり、かくして、蓋体１１は、ケーシング本体２１に対し開閉自在に軸支されることになる。
【００２１】
以上は、本発明の内容を図示例に基づいて説明したものであり、その具体的な内容はこれに限定されるものではない。例えば、螺杆材には、その端面側にバネ座金を介装させることで、その螺着時に軸受け部２２側に弾性を伴って当接させることで、より好ましい緩み防止機能を付与して螺合させることができるようにしてもよい。また、螺杆材は、段差が生成される端面を介在させることなく、支軸部と雄ネジ部とを同径に形成したものを用いることもできる。
【００２２】
さらに、ケーシング本体の軸受け部に形成される雌ネジ部は、ネジ溝を刻入することに代えてナット材を固着するものであってもよい。
【図面の簡単な説明】
【００２３】
【図１】本発明の一例についての要部構造を分解して示す説明図。
【図２】図１に示す構成部材相互を組み付けた後の状態を断面構造のもとで示す説明図。
【符号の説明】
【００２４】
１１  蓋体
１２  一側縁部
１３  軸支部
１４  受け穴部
１５  通孔
２１  ケーシング本体
２２  軸受け部
３１  螺杆材
３２  頭部
３３  支軸部
３４  端面
３５  雄ネジ部
【図１】
2006160309.tif 000003
【図２】
2006160309.tif 000004